(57)【要約】【解決手段】電気回路２の漏電電流を検出して電源線路１を遮断する、少なくともリング状の零相変流器４と漏電検出器５と開閉機構部７とからなる漏電遮断装置３において、前記漏電遮断装置３を構成する零相変流器４に、前記電源線路１及び保安装置８の接地線路Ｅ２を挿通したものである。【効果】雷サージ等が電源線路１に侵入すると、保安装置が雷サージに動作し、接地線路を介して大地に接地して放出するが、接地線路が零相変流器を介して接地に流れ、零相変流器が電源線路から保安装置の方向に流れる電流で発生する磁束と、保安装置の接地線路の接地に流れる電流で発生する磁束とが、互いに打ち消し合うように作用するので、漏電遮断装置は、動作することなく、従って、雷サージによる誤動作が発生するようなことがない。【選択図】図１
2006296102.tif 000002
【特許請求の範囲】
【請求項１】
電気回路の漏電電流を検出して電源線路を遮断する、少なくともリング状の零相変流器と漏電検出器と開閉機構部とからなる漏電遮断装置において、前記漏電遮断装置を構成する零相変流器に、前記電源線路及び保安装置の接地線路が挿通されていることを特徴とする漏電遮断装置。
【請求項２】
電気回路の漏電電流を検出して電源線路を遮断する、少なくともリング状の零相変流器と漏電検出器と開閉機構部とからなる漏電遮断装置において、前記漏電遮断装置に、入力端子及び出力端子が設置された電源線路を配設するとともに、前記漏電遮断装置を構成する零相変流器に、前記電源線路及び保安装置の接地線路が挿通されていることを特徴とする漏電遮断装置。
【請求項３】
電気回路の漏電電流を検出して電源線路を遮断する、少なくとも零相変流器と漏電検出器と開閉機構部とからなる漏電遮断装置において、前記漏電遮断装置に、入力端子及び出力端子が設置された電源線路を配設するとともに、前記漏電遮断装置内に保安装置を設置し、更に、前記零相変流器に、前記電源線路及び保安装置の接地線路が挿通されていることを特徴とする漏電遮断装置。
【発明の詳細な説明】
【技術分野】
【０００１】
本発明は、漏電遮断装置に関するものであり、特に、電気機器等を含む電気回路を雷サージ等から保護する保安装置が、雷サージ等で動作しても誤動作しない漏電遮断装置に関するものである。
【背景技術】
【０００２】
電気機器等の設備機器を含む電気回路は、電源線路から電源の供給を受けて、設備機器を維持している。電気機器等の設備機器は、絶縁破壊等を起こして、電気機器や電気回路等の絶縁が悪くなり、漏電を生じることがある。漏電が発生し、地絡電流が流れ、地絡電流を検出して電気機器等に供給している電源線路を遮断して、電気回路の電源供給を中止する漏電遮断装置が設置されている。
【０００３】
図４に示されているように、従来、電気機器ｒ等の設備機器を含む電気回路ａ２と電源線路ａ１との間には、電気機器ｒ等を電源線路ａ１から侵入する雷サージを保護するために、雷サージに動作し、雷サージを接地して、電気機器ｒ等を保護する保安装置ａ８が設置されているとともに、電源線路ａ１が貫通されてなる零相変流器ａ４と、この零相変流器ａ４を監視検出する漏電検出器ａ５と、漏電検出器ａ５の検出信号を受けて動作する引外具ａ６と、引外具ａ６の動作を受けて電源線路ａ１を開閉する開閉機構部ａ７とからなる漏電遮断装置ａ３とが設置されている。なお、電気機器ｒは、接地線路ｅ１を介して接地ｇ１されており、また、保安装置ａ８は、接地線路ｅ２を介して接地ｇ２されている。
【０００４】
そして、従来の電源線路ａ１に設置された漏電遮断装置ａ３は、電気回路ａ２や電気機器ｒの絶縁破壊が生じ、漏電が発生すると、地絡電流ｉ１が流れ、漏電遮断装置ａ３の零相変流器ａ４を通過する電流を、漏電検出器ａ５が所定以上であることを検出して、検出信号を発し、その検出信号を受けて引外具ａ６が動作し、電源線路ａ１に設置された開閉機構部ａ７が閉回路から開回路に動作して、電源線路ａ１を遮断し、電気回路ａ２への電源供給を停止する。このようにして、漏電による地絡電流ｉ１が、消滅し、漏電による電気機器ｒ等の損傷を防止している。
【０００５】
上述した漏電遮断装置が、一例として、特許文献１に開示されている。
【０００６】
【特許文献１】特開２００４−３４２５３８号公報
【発明の開示】
【発明が解決しようとする課題】
【０００７】
従来、雷サージが、電源線路ａ１から電気回路ａ２に侵入すると、保安装置ａ８が動作して、雷サージは、接地線路ｅ２を介して、保安装置ａ８の接地ｇ２から大地に放出されて、電気機器ｒ等への雷サージの侵入が阻止され、電気機器ｒ等の損傷が防止されることになる。
【０００８】
ところで、電源線路ａ１から、漏電遮断装置ａ３及び保安装置ａ８を介して、大地に流れる雷サージは大きい電流であり、零相変流器ａ４を通過する電源線路ａ１を、漏電検出器ａ５が、所定以上の電流として検出し、その検出信号を受けて引外具ａ６が動作して、開閉機構部ａ７が、電源線路ａ１の開閉を開放し、電源線路ａ１が遮断されることになる。しかしながら、電源線路ａ１が遮断されると、電気機器ｒ等の電源供給が停止され、従って、電気機器ｒ等の使用が不能となり、電気機器ｒが機能しなくなるという問題があった。
【０００９】
雷サージは、保安装置をａ８介して、接地ｇ２に放流され、電気回路ａ２を保護しているので、雷サージの消滅後は、直ちに、電源供給が再開されることが好ましく、よって、雷サージによる保安装置ａ８の動作時、漏電遮断装置ａ３が不動作を保ち、開閉機構部ａ７が開放せず、電源線路ａ１の開放ができないことが好ましい。このように、保安装置ａ８が保護する短時間の雷サージ等の異常電流では、漏電遮断装置ａ３が動作し、電源線路ａ１を開放しないほうがよい。
【００１０】
漏電遮断装置ａ３が動作すると、漏電遮断装置ａ３が設置されている場所まで、作業者が出向き、開閉機構部ａ７を手動操作にて、電源線路ａ１を開回路から閉回路にして、電源線路ａ１からの電源の供給を再開する必要がある。
【００１１】
漏電遮断装置ａ３の開閉機構部ａ７を自動的に閉操作して、電源線路ａ１を閉回路にすることもできるが、装置も大型になり、設置スペース大きくなるという問題があった。
【００１２】
また、一般の戸建住宅や集合住宅、更には、小規模工場等において、事業者からサービスを受けている場合には、漏電遮断装置ａ３が動作して開閉機構部ａ７が開動作すると、サービスが受けられなくなり、サービス事業者に連絡し、処理の依頼をする。サービス事業者は、その都度、依頼者場所に出向き、対応に当たることになるが、保安装置ａ８の動作による漏電遮断装置ａ３の動作も多く、出向いたときには、雷サージは消滅し、電気回路ａ２には不都合はなく、漏電遮断装置ａ３の開閉機構部ａ７を、単に、閉動作に操作することにより解決することも多く、従って、保安装置ａ８の動作では、漏電遮断装置ａ３が動作して、電源回路ａ１を遮断しない技術開発を求められていた。
【００１３】
本発明の目的は、上述した従来の漏電遮断装置が有する課題を解決することにある。
【課題を解決するための手段】
【００１４】
本発明は、上述した目的を達成するために、第１には、電気回路の漏電電流を検出して電源線路を遮断する、少なくともリング状の零相変流器と漏電検出器と開閉機構部とからなる漏電遮断装置において、前記漏電遮断装置を構成する零相変流器に、前記電源線路及び保安装置の接地線路を挿通したものであり、第２には、電気回路の漏電電流を検出して電源線路を遮断する、少なくともリング状の零相変流器と漏電検出器と開閉機構部とからなる漏電遮断装置において、前記漏電遮断装置に、入力端子及び出力端子が設置された電源線路を配設するとともに、前記漏電遮断装置を構成する零相変流器に、前記電源線路及び保安装置の接地線路を挿通したものであり、第３には、電気回路の漏電電流を検出して電源線路を遮断する、少なくとも零相変流器と漏電検出器と開閉機構部とからなる漏電遮断装置において、前記漏電遮断装置に、入力端子及び出力端子が設置された電源線路を配設するとともに、前記漏電遮断装置内に保安装置を設置し、更に、前記零相変流器に、前記電源線路及び保安装置の接地線路を挿通したものである。
【発明の効果】
【００１５】
本発明は、上述した構成を有しているので、以下に記載する効果を奏することができる。
【００１６】
電気回路の漏電電流を検出して電源線路を遮断する、少なくともリング状の零相変流器と漏電検出器と開閉機構部とからなる漏電遮断装置において、前記漏電遮断装置を構成する零相変流器に、前記電源線路及び保安装置の接地線路を挿通したので、電気回路に漏電が生じた場合に、地絡電流が流れ、地絡電流を、漏電遮断装置の零相変流器が感知するとともに、漏電検出器が検出して、検出信号を引外具に送信し、開閉機構部を閉路状態から開路状態に切り替えて、電源線路を遮断し、電気回路の電源供給を停止することができ、従って、電源の供給が中止し、漏電が停止され、電気機器等の損傷を防止することができる。
【００１７】
また、雷サージ等が電源線路に侵入すると、保安装置が雷サージに応答して動作し、雷サージ等を、接地線路を介して大地に接地して放出することになるが、接地線路が、漏電遮断装置の零相変流器を介して接地に流れるので、零相変流器が電源線路から保安装置方向に流れる電流で発生する磁束と、保安装置の接地線路の接地に流れる電流で発生する磁束とが、ともに打ち消し合うように、電源線路の電流の流れと、接地線路の電流の流れとが逆方向になるように構成されているので、零相変流器は、地絡電流を感知せず、また、漏電検出器は、地絡電流を検出しないので、漏電遮断装置の開閉機構部は、閉路状態を維持することになる。また、雷サージが消滅すると、保安装置は、直ちに動作を中止して、元の状態に戻るとともに、電源線路と接地線路は、正常状態に戻り、直ちに、電気機器等への電源の供給が再開され、従って、電気機器等は正常に動作する。
【００１８】
電気回路の漏電電流を検出して電源線路を遮断する、少なくともリング状の零相変流器と漏電検出器と開閉機構部とからなる漏電遮断装置において、前記漏電遮断装置に、入力端子及び出力端子が設置された電源線路を配設するとともに、前記漏電遮断装置を構成する零相変流器に、前記電源線路及び保安装置の接地線路を挿通したので、漏電遮断装置の零相変流器に、電気回路に設置する度毎に、電源線路及び接地線路を配設することが必要なくなり、予め、配線された電源線路及び接地線路の端子に、それぞれの線路を、所定の端子に接続するのみで容易に、且つ、確実に、雷サージによる漏電遮断装置の誤配線による誤動作を回避することができる。
【００１９】
電気回路の漏電電流を検出して電源線路を遮断する、少なくとも零相変流器と漏電検出器と開閉機構部とからなる漏電遮断装置において、前記漏電遮断装置に、入力端子及び出力端子が設置された電源線路を配設するとともに、前記漏電遮断装置内に保安装置を設置し、更に、前記零相変流器に、前記電源線路及び保安装置の接地線路を挿通したので、漏電遮断装置を電気回路に接続することで、保安装置を別に設置することなく、漏電と雷サージとから電気機器等を保護することができるとともに、雷サージによる漏電遮断装置の誤動作を回避することができ、また、漏電遮断装置の取り付け作業を簡素化することができる。
【実施例】
【００２０】
以下に、本発明の実施例について、説明するが、本発明の趣旨を越えない限り実施例に限定しない。
【００２１】
図１において、１は、商用電源線に接続された電源線路であり、この電源線路１は、接地線路Ｅ１を介して接地Ｇ１された電気機器Ｒ等が設置されている電気回路２に接続されている。３は、漏電遮断装置であり、この漏電遮断装置３は、リング状の零相変流器４と漏電検出器５と引外具６と開閉機構部７とから構成されている。リング状の零相変流器４は、所定の径と巻回数を有するリング状に形成された変流器である。このように構成されたリング状の零相変流器４には、電源線路１が挿通されており、電源線路１に流れる電気回路２の地絡電流Ｉ１が感知されるように構成されている。
【００２２】
漏電検出器５は、零相変流器４の一端に接続されており、電源線路１に流れた地絡電流Ｉ１を、零相変流器４が感知した際には、漏電検出器５が、感知した地絡電流Ｉ１を検出し増幅等し、引外具６に検出信号を送信するように構成されている。引外具６は、漏電検出器５からの検出信号を受けて、開閉機構部７の開閉器ロックを解除する。開閉機構部７は、電源線路１に配置され、商用電源線と電気回路２との開閉を行うものであり、引外具６から開閉器ロックの解除指示を受けて、電源線路１を開路にして、地絡電流Ｉ１を遮断する。
【００２３】
８は、保安装置であり、保安装置８は、漏電遮断装置３の電気機器Ｒ側に配置されており、保安装置８の線路端子Ｌ１は、リング状の零相変流器４を貫通した電源線路１に接続されている。また、保安装置８の接地端子Ｌ２には、リング状の零相変流器４に挿通されている接地線路Ｅ２の一端に接続されており、接地線路Ｅ２の他端は接地Ｇ２されている。なお、９は、電気機器Ｒを含む電気回路２の線路間等の短絡事故で過大電流が電源線路１に流れた場合に、過大電流に過熱して開閉機構部７を開放する過電流素子である。
【００２４】
次に、上述した構成を有する本発明の漏電遮断装置３の動作について説明する。
【００２５】
電気機器Ｒが設置された電気回路２に漏電がない場合、電源線路１間はバランスを保ち、漏電遮断装置３の零相変流器４には、通過電流の変化はなく、従って、漏電遮断装置３は動作することなく、電源線路１は閉路状態を保ち、電気機器Ｒは、動作を続ける。
【００２６】
次に、電気回路２に、漏電による地絡電流Ｉ１が生じ、地絡電流Ｉ１が、接地線路Ｅ１を介して、接地Ｇ１されると、零相変流器４が、電源線路１の地絡電流Ｉ１を感知し、地絡電流Ｉ１が、一定値以上を越えると、漏電検出器５が、検出信号を出力送信して、引外具６を動作させ、開閉機構部７が、電源線路１を開路にして、電源の供給を停止し、電気機器Ｒが設置された電気回路２を漏電から保護する。
【００２７】
次にまた、電源線路１から雷サージが侵入すると、電源線路１に接続された保安装置８が、サージに応答して動作し、雷サージ等を、接地線路Ｅ２から接地Ｇ２に吸収して、電気機器Ｒが設置されている電気回路２を、雷サージから保護するとともに、電源線路１には、サージ電流が流れ、零相変流器４に磁束が発生するが、同様に、保安装置８の接地線路Ｅ２にもサージ電流が流れ、零相変流器４に磁束が発生するが、接地線路Ｅ２は、電源線路１に対して、磁束が打ち消し合うように、リング状の零相変流器４を挿通するように配置されているので、零相変流器４は、サージ電流を感知することなくがなく、従って、漏電検出器５も検出信号を送信することがなく、従って、開閉機構部７は閉回路の状態を維持することになる。
【００２８】
雷サージは、通常、短時間であり、雷サージが消滅すると、保安装置８が動作を直ちに停止し、保安装置８の動作の停止とともに、即、電気回路２に電源を供給を開始し、正常状態に戻り、電気機器Ｒは、正常に動作することになる。
【００２９】
図２には、本発明の別の実施例が示されており、図１と同一部材については、同一符号が使用されている。
【００３０】
図２において、１１，１２は、電源線路端子であり、この電源線路端子１１、１２は、漏電遮断装置３を構成する零相変流器４に挿通されている電源線路１に接続されている。１３，１４は、接地端子であり、この接地端子１３，１４は、漏電遮断装置３を構成する零相変流器４に挿通されている接地線路Ｅ２に接続されている。また、線路端子１１には、電源線路１を接続し、線路端子１２には、電気回路２を接続し、接地端子１３には、保安装置８の接地線路Ｅ２を接続し、接地端子１４には、接地Ｇ２の接地線路Ｅ２を接続して、漏電遮断装置３が構成されている。他の構成は、図１に示されている構成と同じであるので、その詳細な説明は省略する。
【００３１】
上述したように、漏電遮断装置３に設けられた線路端子１１に、電源線路１を接続し、また、線路端子１２に電気回路２を接続し、更に、接地端子１３に保安装置８の接地線路Ｅ２を接続し、なお更に、接地端子１４に接地Ｇ２を接続するだけで、雷サージが電源線路１に侵入した場合でも、雷サージによる漏電遮断装置３の誤動作を回避することができる。
【００３２】
図３には、本発明の更に別の実施例が示されており、図１と図２と同一部材については、同一符号が使用されている。
【００３３】
この実施例は、漏電遮断装置３内に保安装置８を配置したものであり、保安装置８は、線路端子１２の端子間に接続されており、また、保安装置８の接地線路Ｅ２を、零相変流器４に挿通するとともに、接地端子１４に接続して、漏電遮断装置３を構成する。なお、その他の構成については、図１及び図２に示されている構成と同じであるので、その詳細な説明は省略する。
【００３４】
保安装置８が接続された漏電遮断装置３の線路端子１１に、電源線路１を接続し、また、線路端子１２に電気回路２を接続し、更に、接地端子１４に、接地Ｇ２に接続された接地線路Ｅ２を接続する。
【００３５】
上述したように構成することにより、短時間に接続作業を完了することができ、更に、現場作業による万一の誤配線を防止することができる。
【００３６】
上述したように、漏電遮断装置３の零相変流器４に、電源線路１とともに保安装置８の接地線路Ｅ２を設置するようにしたので、電気回路２に漏電が生じた場合に、地絡電流Ｉ１が流れ、地絡電流Ｉ１を、漏電遮断装置３の零相変流器４が感知するとともに、漏電検出器５が検出して、検出信号を引外具６に送信し、開閉機構部７を閉路状態から開路状態にして、電源線路１を遮断し、電気回路２への電源供給が停止されて、漏電による電気機器Ｒの損傷を防止する。
【００３７】
上述したように、漏電遮断装置３の零相変流器４に、電源線路１とともに保安装置８の接地線路Ｅ２を設置したので、雷サージ等が電源線路１に侵入すると、保安装置８が雷サージ等に応答して動作し、雷サージ等が、接地線路Ｅ２を介して、大地に接地Ｇ２され放出されることになる。このように、雷サージ等が、零相変流器４に挿通された接地線路Ｅ２を介して、接地Ｇ２されるので、零相変流器４に、電源線路１から保安装置８の方向に流れる電流で発生する磁束と、保安装置８の接地線路Ｅ２の接地Ｇ２に流れる電流で発生する磁束とが、互いに、打ち消し合うように作用し、電源線路１の電流の流れと接地線路Ｅ２の電流の流れとが逆方向になるように、リング状の零相変流器４内に、電源線路１と接地線路Ｅ２とを設置したので、零相変流器４は、サージ電流を感知することなくがなく、従って、漏電検出器５も検出信号を送信することがなく、よって、漏電遮断装置３の開閉機構部７は、雷サージが消滅するまで、閉路状態を保持することになる。雷サージが消滅すると、保安装置８は、直ちに動作を中止して、電源線路１は、閉回路状態に戻り、電源線路１と接地線路Ｅ２は、正常状態に直ちに復帰して、電気機器Ｒ等に電源の供給を開始し、電気機器Ｒ等は正常に動作することになる。
【００３８】
上述したように、漏電遮断装置３に、保安装置８の接地端子１３，１４を設置した接地線路Ｅ２を配設したので、漏電遮断装置３の零相変流器４に、電気回路２に設置する度毎に、接地線路Ｅ２を配設することが必要なくなり、予め、零相変流器４に挿通された接地線路Ｅ２の接地端子１３，１４に接続するのみで、容易に、且つ、確実に、雷サージによる漏電遮断装置３の誤配線を回避することができる。
【００３９】
また、上述したように、漏電遮断装置３内に保安装置８を設置するとともに、保安装置８の接地線路Ｅ２の接地端子１４を設置してので、漏電遮断装置３を電源線路１に接続することで、保安装置８を別に設置することなく、漏電と雷サージとから電気機器Ｒ等を保護することができるとともに、雷サージによる漏電遮断装置３の誤動作を回避することができ、且つ、漏電遮断装置３の取り付け作業を簡素化することができる。
【図面の簡単な説明】
【００４０】
【図１】図１は、本発明の漏電遮断装置の構成図である。
【図２】図２は、本発明の別の実施例の漏電遮断装置の構成図である。
【図３】図３は、本発明の更に別の実施例の漏電遮断装置の構成図である
【図４】図４は、従来の漏電遮断装置の構成図である。
【符号の説明】
【００４１】
Ｒ・・・・・・・・・電気機器等
Ｅ１・・・・・・・・接地線路
Ｅ２・・・・・・・・接地線路
Ｇ１、Ｇ２・・・・・接地
１・・・・・・・・・電源線路
２・・・・・・・・・電気回路
３・・・・・・・・・漏電遮断装置
４・・・・・・・・・零相変流器
５・・・・・・・・・漏電検出器
６・・・・・・・・・引外具
７・・・・・・・・・開閉機構部
８・・・・・・・・・保安装置
１１，１２・・・・・線路端子
１３、１４・・・・・接地端子
【図１】
2006296102.tif 000003
【図２】
2006296102.tif 000004
【図３】
2006296102.tif 000005
【図４】
2006296102.tif 000006